(57)【要約】      （修正有）【課題】画像形成動作の再開のための除去部材による残留現像剤の除去が適切に行われる画像形成装置、及び、画像形成システムを実現する。【解決手段】二次転写部から見て中間転写体の回転方向下流側に設けられ、中間転写体に当接して、該中間転写体に残留する残留現像剤を除去する除去部材を備えた画像形成装置であって、画像形成動作を途中で停止させる事象が発生したときに、前記二次転写部から見て前記中間転写体の回転方向上流側に位置し、かつ一次転写部と前記二次転写部との間に位置する残留現像剤が、前記画像形成動作の再開のために前記除去部材により除去される際には、前記一次転写電圧供給部による転写電圧の供給を実行させない制御部を備える。【選択図】図８
2007286257.tif 000002
【特許請求の範囲】
【請求項１】
（ａ）現像剤を担持可能な感光体と、
（ｂ）該感光体上の現像剤を媒体に転写する際の中間媒体となる回転可能な中間転写体と、
（ｃ）前記感光体上の現像剤を一次転写部にて前記中間転写体へ向かわせるための転写電圧、を該中間転写体に供給する電圧供給部と、
（ｄ）前記中間転写体の回転に伴い二次転写部に移動した現像剤を媒体に転写するための二次転写部材と、
（ｅ）前記二次転写部から見て前記中間転写体の回転方向下流側に設けられ、前記中間転写体に当接して、該中間転写体に残留する残留現像剤を除去する除去部材と、
（ｆ）を備えた画像形成装置であって、
（ｇ）前記電圧供給部を制御するための制御部であって、
画像形成動作を途中で停止させる事象が発生したときに、前記二次転写部から見て前記中間転写体の回転方向上流側に位置し、かつ、前記一次転写部と前記二次転写部との間に位置する残留現像剤、
が前記画像形成動作の再開のために前記除去部材により除去される際には、前記電圧供給部による前記転写電圧の供給を実行させない制御部、
を備えたことを特徴とする画像形成装置。
【請求項２】
請求項１に記載の画像形成装置であって、
前記電圧供給部は、
現像剤を前記中間転写体へ向かわせるための前記転写電圧、の前記中間転写体への供給と共に、現像剤を前記中間転写体から引き離すための逆転写電圧、の前記中間転写体への供給も可能であり、
前記制御部は、
画像形成動作を途中で停止させる事象が発生したときに、前記二次転写部から見て前記中間転写体の回転方向上流側に位置し、かつ、前記一次転写部と前記二次転写部との間に位置する残留現像剤、
が前記画像形成動作の再開のために前記除去部材により除去される際には、前記電圧供給部による前記逆転写電圧の供給を実行させることを特徴とする画像形成装置。
【請求項３】
請求項１または請求項２に記載の画像形成装置であって、
前記制御部は、
画像形成動作を途中で停止させる事象が発生したときに、前記除去部材により残留現像剤の除去が行われる現像剤除去部、から見て前記中間転写体の回転方向上流側に位置し、かつ、前記一次転写部と前記現像剤除去部との間に位置する残留現像剤、
が前記画像形成動作の再開のために前記除去部材により除去される際には、前記電圧供給部による前記転写電圧の供給を実行させないことを特徴とする画像形成装置。
【請求項４】
請求項１〜請求項３のいずれかに記載の画像形成装置であって、
前記電圧供給部は、前記中間転写体の全体にわたって前記転写電圧を供給することを特徴とする画像形成装置。
【請求項５】
請求項４に記載の画像形成装置であって、
前記中間転写体の、該中間転写体の回転方向と直交する直交方向端部には、電極層が設けられており、
該電極層に当接する導電性部材を備え、
前記電圧供給部は、前記導電性部材を介して前記転写電圧を前記中間転写体に供給することを特徴とする画像形成装置。
【請求項６】
請求項１〜請求項５のいずれかに記載の画像形成装置であって、
互いに色が異なる現像剤を担持可能な４つの前記感光体、を備え、
前記中間転写体は、各々の前記感光体上の現像剤を媒体に転写する際の中間媒体となることを特徴とする画像形成装置。
【請求項７】
（ａ）現像剤を担持可能な感光体と、
（ｂ）該感光体上の現像剤を媒体に転写する際の中間媒体となる回転可能な中間転写体と、
（ｃ）前記感光体上の現像剤を一次転写部にて前記中間転写体へ向かわせるための転写電圧、を該中間転写体に供給する電圧供給部と、
（ｄ）前記中間転写体の回転に伴い二次転写部に移動した現像剤を媒体に転写するための二次転写部材と、
（ｅ）前記二次転写部から見て前記中間転写体の回転方向下流側に設けられ、前記中間転写体に当接して、該中間転写体に残留する残留現像剤を除去する除去部材と、
（ｆ）を備えた画像形成装置であって、
（ｇ）前記電圧供給部を制御するための制御部であって、
画像形成動作を途中で停止させる事象が発生したときに、前記二次転写部から見て前記中間転写体の回転方向上流側に位置し、かつ、前記一次転写部と前記二次転写部との間に位置する残留現像剤、
が前記画像形成動作の再開のために前記除去部材により除去される際には、前記電圧供給部による前記転写電圧の供給を実行させない制御部、
を備え、
（ｈ）前記電圧供給部は、
現像剤を前記中間転写体へ向かわせるための前記転写電圧、の前記中間転写体への供給と共に、現像剤を前記中間転写体から引き離すための逆転写電圧、の前記中間転写体への供給も可能であり、
前記制御部は、
画像形成動作を途中で停止させる事象が発生したときに、前記二次転写部から見て前記中間転写体の回転方向上流側に位置し、かつ、前記一次転写部と前記二次転写部との間に位置する残留現像剤、
が前記画像形成動作の再開のために前記除去部材により除去される際には、前記電圧供給部による前記逆転写電圧の供給を実行させ、
（ｉ）前記制御部は、
画像形成動作を途中で停止させる事象が発生したときに、前記除去部材により残留現像剤の除去が行われる現像剤除去部、から見て前記中間転写体の回転方向上流側に位置し、かつ、前記一次転写部と前記現像剤除去部との間に位置する残留現像剤、
が前記画像形成動作の再開のために前記除去部材により除去される際には、前記電圧供給部による前記転写電圧の供給を実行させず、
（ｊ）前記電圧供給部は、前記中間転写体の全体にわたって前記転写電圧を供給し、
（ｋ）前記中間転写体の、該中間転写体の回転方向と直交する直交方向端部には、電極層が設けられており、
該電極層に当接する導電性部材を備え、
前記電圧供給部は、前記導電性部材を介して前記転写電圧を前記中間転写体に供給し、
（ｌ）互いに色が異なる現像剤を担持可能な４つの前記感光体、を備え、
前記中間転写体は、各々の前記感光体上の現像剤を媒体に転写する際の中間媒体となることを特徴とする画像形成装置。
【請求項８】
（Ａ）コンピュータ、及び、
（Ｂ）このコンピュータに接続可能な画像形成装置であって、
（ａ）現像剤を担持可能な感光体と、
（ｂ）該感光体上の現像剤を媒体に転写する際の中間媒体となる回転可能な中間転写体と、
（ｃ）前記感光体上の現像剤を一次転写部にて前記中間転写体へ向かわせるための転写電圧、を該中間転写体に供給する電圧供給部と、
（ｄ）前記中間転写体の回転に伴い二次転写部に移動した現像剤を媒体に転写するための二次転写部材と、
（ｅ）前記二次転写部から見て前記中間転写体の回転方向下流側に設けられ、前記中間転写体に当接して、該中間転写体に残留する残留現像剤を除去する除去部材と、
（ｆ）を備えた画像形成装置であって、
（ｇ）前記電圧供給部を制御するための制御部であって、
画像形成動作を途中で停止させる事象が発生したときに、前記二次転写部から見て前記中間転写体の回転方向上流側に位置し、かつ、前記一次転写部と前記二次転写部との間に位置する残留現像剤、
が前記画像形成動作の再開のために前記除去部材により除去される際には、前記電圧供給部による前記転写電圧の供給を実行させない制御部、
を備えた画像形成装置、
（Ｃ）を具備したことを特徴とする画像形成システム。
【発明の詳細な説明】
【技術分野】
【０００１】
本発明は、画像形成装置、及び、画像形成システムに関する。
【背景技術】
【０００２】
レーザビームプリンタ等の画像形成装置は既によく知られている。かかる画像形成装置は、例えば、現像剤を担持可能な感光体と、該感光体上の現像剤を媒体に転写する際の中間媒体となる回転可能な中間転写体と、前記感光体上の現像剤を一次転写部にて前記中間転写体へ向かわせるための転写電圧、を該中間転写体に供給する電圧供給部と、前記中間転写体の回転に伴い二次転写部に移動した現像剤を媒体に転写するための二次転写部材と、を備えている。なお、上記感光体は、潜像を担持する機能も有している。
【０００３】
そして、画像形成装置は、ホストコンピュータなどの外部装置からの画像信号等を受信すると、感光体に担持された潜像が、例えば現像装置内の現像剤で現像される。そして、感光体上の現像剤は、電圧供給部によって転写電圧が供給された中間転写体に引き付けられるように一次転写された後に、二次転写部材によって媒体に二次転写される。そして、媒体に二次転写された現像剤は、更に、定着装置により該媒体に定着され、最終的に媒体に画像が形成される。
【０００４】
また、上記の画像形成装置は、更に、前記二次転写部から見て前記中間転写体の回転方向下流側に設けられ、前記中間転写体に当接して、該中間転写体に残留する残留現像剤を除去する除去部材、を備えている。この除去部材は、画像形成時に二次転写部材によって媒体に転写されずに中間転写体に残留する現像剤を除去する。
【０００５】
ところで、画像形成動作の実行中に、該画像形成動作を途中で停止させる事象が発生することがある。該事象として、例えば、画像形成動作中に媒体が画像形成装置内を搬送される最中に詰まる（この媒体の詰まりを、以下「ジャム」と呼ぶ）事象がある。かかる場合には、前記画像形成動作の再開のために、作業者等が画像形成装置内で詰まった媒体を除去することによりジャムが解消された後に、除去部材によって中間転写体の残留現像剤が除去される。そして、従来においては、ジャムが解消された後に除去部材によって中間転写体上の残留現像剤が除去される際には、該中間転写ベルトに転写電圧が供給されていた。
【特許文献１】特開２００２−１６９３８９号公報
【発明の開示】
【発明が解決しようとする課題】
【０００６】
画像形成動作を途中で停止させる事象（媒体のジャム等）が発生したときに、前記二次転写部から見て前記中間転写体の回転方向上流側で、かつ、前記一次転写部と前記二次転写部との間に、残留現像剤が位置することがある。かかる場合には、画像形成動作の再開のために該残留現像剤が除去部材によって除去されることになるから、除去部材によって除去すべき残留現像剤の量が多くなりやすい。
【０００７】
そして、多量の残留現像剤が画像形成動作の再開のために除去部材により除去される際に、上述したように中間転写体に現像剤を中間転写体へ向かわせるための転写電圧が供給されると、中間転写体に残留する多量の残留現像剤が、中間転写体に引き付けられることとなる。かかる際には、該残留現像剤が、除去部材によって適切に除去されずに、中間転写体にそのまま残留する恐れがある。
【０００８】
本発明は、かかる課題に鑑みてなされたものであり、その目的とするところは、画像形成動作の再開のための除去部材による残留現像剤の除去が適切に行われる画像形成装置、及び、画像形成システムを実現することにある。
【課題を解決するための手段】
【０００９】
前記課題を解決するために、主たる本発明は、（ａ）現像剤を担持可能な感光体と、（ｂ）該感光体上の現像剤を媒体に転写する際の中間媒体となる回転可能な中間転写体と、（ｃ）前記感光体上の現像剤を一次転写部にて前記中間転写体へ向かわせるための転写電圧、を該中間転写体に供給する電圧供給部と、（ｄ）前記中間転写体の回転に伴い二次転写部に移動した現像剤を媒体に転写するための二次転写部材と、（ｅ）前記二次転写部から見て前記中間転写体の回転方向下流側に設けられ、前記中間転写体に当接して、該中間転写体に残留する残留現像剤を除去する除去部材と、（ｆ）を備えた画像形成装置であって、（ｇ）前記電圧供給部を制御するための制御部であって、画像形成動作を途中で停止させる事象が発生したときに、前記二次転写部から見て前記中間転写体の回転方向上流側に位置し、かつ、前記一次転写部と前記二次転写部との間に位置する残留現像剤、が前記画像形成動作の再開のために前記除去部材により除去される際には、前記電圧供給部による前記転写電圧の供給を実行させない制御部、を備えたことを特徴とする画像形成装置である。
【００１０】
本発明の他の特徴については、本明細書及び添付図面の記載により明らかにする。
【発明を実施するための最良の形態】
【００１１】
本明細書及び添付図面の記載により少なくとも次のことが明らかにされる。
【００１２】
（ａ）現像剤を担持可能な感光体と、（ｂ）該感光体上の現像剤を媒体に転写する際の中間媒体となる回転可能な中間転写体と、（ｃ）前記感光体上の現像剤を一次転写部にて前記中間転写体へ向かわせるための転写電圧、を該中間転写体に供給する電圧供給部と、（ｄ）前記中間転写体の回転に伴い二次転写部に移動した現像剤を媒体に転写するための二次転写部材と、（ｅ）前記二次転写部から見て前記中間転写体の回転方向下流側に設けられ、前記中間転写体に当接して、該中間転写体に残留する残留現像剤を除去する除去部材と、（ｆ）を備えた画像形成装置であって、（ｇ）前記電圧供給部を制御するための制御部であって、画像形成動作を途中で停止させる事象が発生したときに、前記二次転写部から見て前記中間転写体の回転方向上流側に位置し、かつ、前記一次転写部と前記二次転写部との間に位置する残留現像剤、が前記画像形成動作の再開のために前記除去部材により除去される際には、前記電圧供給部による前記転写電圧の供給を実行させない制御部、を備えたことを特徴とする画像形成装置。
【００１３】
制御部が、画像形成動作を途中で停止させる事象が発生したときに、前記二次転写部から見て前記中間転写体の回転方向上流側に位置し、かつ、前記一次転写部と前記二次転写部との間に位置する残留現像剤が、前記画像形成動作の再開のために除去部材によって除去される際に、前記電圧供給部による転写電圧の供給を実行させない場合には、該残留現像剤を中間転写体へ引き付ける力が作用しない。このため、画像形成動作の再開のための除去部材による残留現像剤の除去が適切に行われる。
【００１４】
また、かかる画像形成装置であって、前記電圧供給部は、現像剤を前記中間転写体へ向かわせるための前記転写電圧、の前記中間転写体への供給と共に、現像剤を前記中間転写体から引き離すための逆転写電圧、の前記中間転写体への供給も可能であり、前記制御部は、画像形成動作を途中で停止させる事象が発生したときに、前記二次転写部から見て前記中間転写体の回転方向上流側に位置し、かつ、前記一次転写部と前記二次転写部との間に位置する残留現像剤、が前記画像形成動作の再開のために前記除去部材により除去される際には、前記電圧供給部による前記逆転写電圧の供給を実行させることとしてもよい。
【００１５】
画像形成動作を途中で停止させる事象が発生したときに、前記二次転写部から見て前記中間転写体の回転方向上流側に位置し、かつ、前記一次転写部と前記二次転写部との間に位置する残留現像剤が、前記画像形成動作の再開のために前記除去部材により除去される際に、前記電圧供給部による逆転写電圧の供給が実行される場合には、前記残留現像剤を中間転写体から引き離す力が、生じる。このため、画像形成動作の再開のための除去部材による残留現像剤の除去が適切に行われやすくなる。
【００１６】
また、かかる画像形成装置であって、前記制御部は、画像形成動作を途中で停止させる事象が発生したときに、前記除去部材により残留現像剤の除去が行われる現像剤除去部、から見て前記中間転写体の回転方向上流側に位置し、かつ、前記一次転写部と前記現像剤除去部との間に位置する残留現像剤、が前記画像形成動作の再開のために前記除去部材により除去される際には、前記電圧供給部による前記転写電圧の供給を実行させないこととしてもよい。  
画像形成動作を途中で停止させる事象が発生したときに、該事象の発生前に二次転写部にて媒体に転写されずに中間転写体上の残留する残留現像剤が、現像剤除去部から見て前記中間転写体の回転方向上流側で、かつ、前記二次転写部と前記現像剤除去部との間に位置することがある。かかる場合に、前記残留現像剤が画像形成動作の再開のために前記除去部材により除去される際に、前記電圧供給部による前記転写電圧の供給を実行させないこととすると、該残留現像剤も除去部材によって適切に除去されることとなる。
【００１７】
また、かかる画像形成装置であって、前記電圧供給部は、前記中間転写体の全体にわたって前記転写電圧を供給することとしてもよい。  
中間転写体の全体に転写電圧が供給される構成の場合には、前記残留現像剤が除去される際に転写電圧の供給が実行されないことによる効果、すなわち、画像形成動作の再開のための除去部材による残留現像剤の除去が適切に行われる効果が、より有効に奏される。
【００１８】
また、かかる画像形成装置であって、前記中間転写体の、該中間転写体の回転方向と直交する直交方向端部には、電極層が設けられており、該電極層に当接する導電性部材を備え、前記電圧供給部は、前記導電性部材を介して前記転写電圧を前記中間転写体に供給することとしてもよい。
【００１９】
また、かかる画像形成装置であって、互いに色が異なる現像剤を担持可能な４つの前記感光体、を備え、前記中間転写体は、各々の前記感光体上の現像剤を媒体に転写する際の中間媒体となることとしてもよい。  
かかる場合には、中間転写体上に４色の現像剤が転写されることになるから、画像形成動作を途中で停止させる事象が発生した直後に除去部材によって除去される現像剤の量が増えやすい。このため、前記残留現像剤が除去される際に転写電圧の供給が実行されないことによる効果、すなわち、画像形成動作の再開のための除去部材による残留現像剤の除去が適切に行われる効果が、より有効に奏される。
【００２０】
また、（ａ）現像剤を担持可能な感光体と、（ｂ）該感光体上の現像剤を媒体に転写する際の中間媒体となる回転可能な中間転写体と、（ｃ）前記感光体上の現像剤を一次転写部にて前記中間転写体へ向かわせるための転写電圧、を該中間転写体に供給する電圧供給部と、（ｄ）前記中間転写体の回転に伴い二次転写部に移動した現像剤を媒体に転写するための二次転写部材と、（ｅ）前記二次転写部から見て前記中間転写体の回転方向下流側に設けられ、前記中間転写体に当接して、該中間転写体に残留する残留現像剤を除去する除去部材と、（ｆ）を備えた画像形成装置であって、（ｇ）前記電圧供給部を制御するための制御部であって、画像形成動作を途中で停止させる事象が発生したときに、前記二次転写部から見て前記中間転写体の回転方向上流側に位置し、かつ、前記一次転写部と前記二次転写部との間に位置する残留現像剤、が前記画像形成動作の再開のために前記除去部材により除去される際には、前記電圧供給部による前記転写電圧の供給を実行させない制御部、を備え、（ｈ）前記電圧供給部は、現像剤を前記中間転写体へ向かわせるための前記転写電圧、の前記中間転写体への供給と共に、現像剤を前記中間転写体から引き離すための逆転写電圧、の前記中間転写体への供給も可能であり、前記制御部は、画像形成動作を途中で停止させる事象が発生したときに、前記二次転写部から見て前記中間転写体の回転方向上流側に位置し、かつ、前記一次転写部と前記二次転写部との間に位置する残留現像剤、が前記画像形成動作の再開のために前記除去部材により除去される際には、前記電圧供給部による前記逆転写電圧の供給を実行させ、（ｉ）前記制御部は、画像形成動作を途中で停止させる事象が発生したときに、前記除去部材により残留現像剤の除去が行われる現像剤除去部、から見て前記中間転写体の回転方向上流側に位置し、かつ、前記一次転写部と前記現像剤除去部との間に位置する残留現像剤、が前記画像形成動作の再開のために前記除去部材により除去される際には、前記電圧供給部による前記転写電圧の供給を実行させず、（ｊ）前記電圧供給部は、前記中間転写体の全体にわたって前記転写電圧を供給し、（ｋ）前記中間転写体の、該中間転写体の回転方向と直交する直交方向端部には、電極層が設けられており、該電極層に当接する導電性部材を備え、前記電圧供給部は、前記導電性部材を介して前記転写電圧を前記中間転写体に供給し、（ｌ）互いに色が異なる現像剤を担持可能な４つの前記感光体、を備え、前記中間転写体は、各々の前記感光体上の現像剤を媒体に転写する際の中間媒体となることを特徴とする画像形成装置。  
このような画像形成装置によれば、画像形成動作の再開のための除去部材による残留現像剤の除去が適切に行われる効果が、最も有効に奏される。
【００２１】
また、（Ａ）コンピュータ、及び、（Ｂ）このコンピュータに接続可能な画像形成装置であって、（ａ）現像剤を担持可能な感光体と、（ｂ）該感光体上の現像剤を媒体に転写する際の中間媒体となる回転可能な中間転写体と、（ｃ）前記感光体上の現像剤を一次転写部にて前記中間転写体へ向かわせるための転写電圧、を該中間転写体に供給する電圧供給部と、（ｄ）前記中間転写体の回転に伴い二次転写部に移動した現像剤を媒体に転写するための二次転写部材と、（ｅ）前記二次転写部から見て前記中間転写体の回転方向下流側に設けられ、前記中間転写体に当接して、該中間転写体に残留する残留現像剤を除去する除去部材と、（ｆ）を備えた画像形成装置であって、（ｇ）前記電圧供給部を制御するための制御部であって、画像形成動作を途中で停止させる事象が発生したときに、前記二次転写部から見て前記中間転写体の回転方向上流側に位置し、かつ、前記一次転写部と前記二次転写部との間に位置する残留現像剤、が前記画像形成動作の再開のために前記除去部材により除去される際には、前記電圧供給部による前記転写電圧の供給を実行させない制御部、を備えた画像形成装置、（Ｃ）を具備したことを特徴とする画像形成システム。  
このような画像形成システムによれば、画像形成動作の再開のための除去部材による残留現像剤の除去が適切に行われる。
【００２２】
＝＝＝画像形成装置の概要＝＝＝
次に、図１〜図３を用いて、『画像形成装置』としてレーザビームプリンタ（以下、プリンタともいう）１０を例にとって、その構成例及び動作例について説明する。図１は、プリンタ１０を構成する主要構成要素を示した図である。図２は、プリンタ１０の制御ユニット１００の構成を示したブロック図である。図３は、像形成部１５Ｙを示した図である。なお、図１には、矢印にて上下方向を示しており、例えば、給紙トレイ９２は、プリンタ１０の下部に配置されており、定着ユニット９０は、プリンタ１０の上部に配置されている。同様に、図３にも、矢印にて上下方向を示している。
【００２３】
＜＜＜プリンタ１０の構成＞＞＞
本実施の形態に係るプリンタ１０は、図１に示すように、像形成部１５Ｙ、１５Ｍ、１５Ｃ、１５Ｋ、『中間転写体』の一例としての中間転写ベルト７０、一次転写ユニット６０、バックアップローラ６５Ｙ、６５Ｍ、６５Ｃ、６５Ｋ、二次転写ユニット８０、中間転写ベルトクリーニングユニット８５、定着ユニット９０、ユーザへの報知手段をなし液晶パネルでなる表示ユニット９５、及び、これらのユニット等を制御しプリンタとしての動作を司る制御ユニット１００を有している。
【００２４】
像形成部１５Ｙ、１５Ｍ、１５Ｃ、１５Ｋは、感光体２０Ｙ、２０Ｍ、２０Ｃ、２０Ｋ上に潜像やトナー像を形成する機能を有している。これら四つの像形成部１５Ｙ、１５Ｍ、１５Ｃ、１５Ｋは、所定の方向（図１に示す水平方向）に列状に配置されている。そして、像形成部１５Ｙ、１５Ｍ、１５Ｃ、１５Ｋの構成は同様であるので、以下においては、四つの像形成部のうちの像形成部１５Ｙを例に挙げて説明する。
【００２５】
像形成部１５Ｙは、図３に示すように、感光体２０Ｙの回転方向に沿って、帯電ユニット３０Ｙ、露光ユニット４０Ｙ、現像ユニット５０Ｙ、感光体クリーニングユニット７５Ｙを有している。
【００２６】
感光体２０Ｙは、円筒状の基材（具体的には、アルミ材）とその外周面に形成された感光層を有し、該感光層の表面に潜像を担持する。この感光体２０Ｙは、その軸方向の両端部がプリンタ本体に回転可能に支持されており、本実施の形態においては、図１中の矢印で示すように時計回りに回転する。
【００２７】
帯電ユニット３０Ｙは、感光体２０Ｙを帯電するための装置である。帯電ユニット３０Ｙは、図３に示すように、感光体２０Ｙに対向し該感光体２０Ｙを帯電するための帯電ローラ３１Ｙと、帯電ローラ３１Ｙに当接して該帯電ローラ３１Ｙの表面をクリーニングするためのクリーニングローラ３５Ｙと、を有している。そして、帯電バイアス供給部１２１（図２）から直流電圧と交流電圧が重畳された帯電バイアスが帯電ローラ３１Ｙに供給されると、該帯電ローラ３１Ｙと感光体２０Ｙとの間で放電が生じ、その結果、感光体２０Ｙが帯電する。
【００２８】
帯電ローラ３１Ｙは、金属の軸の表面に導電性の塗料が塗布された構成となっている。また、帯電ローラ３１Ｙは、その軸方向の両端部に感光体２０Ｙに当接するテープ（不図示）が取り付けられている。このテープの外径は、帯電ローラ３１Ｙの中央部の外径よりも大きいので、該中央部と感光体２０Ｙとの間に間隙が形成されている。このため、帯電ローラ３１Ｙは、いわゆる非接触帯電方式にて感光体２０Ｙを帯電する。
【００２９】
露光ユニット４０Ｙは、レーザを照射することによって帯電された感光体２０Ｙ上に潜像を形成する装置である。この露光ユニット４０Ｙは、例えば、半導体レーザ、ポリゴンミラー、Ｆ−θレンズ等を有しており、パーソナルコンピュータ、ワードプロセッサ等の不図示のホストコンピュータから入力された画像信号に基づいて、変調されたレーザを帯電された感光体２０Ｙ上に照射する。
【００３０】
イエロー現像ユニット５０Ｙは、感光体２０Ｙ上に形成された潜像を、現像部Ａ１にて『現像剤』の一例であるイエロー（Ｙ）トナーを用いてイエロートナー像として可視化するための装置である。このイエロー現像ユニット５０Ｙは、図３に示すように、イエロートナーを収容するためのトナー収容部５１Ｙと、該イエロートナーを担持して感光体２０Ｙ上の潜像を現像するための現像ローラ５２Ｙと、トナー収容部５１Ｙのトナーを現像ローラ５２Ｙに供給するための供給ローラ５３Ｙと、現像ローラ５２Ｙに担持されたイエロートナーを帯電させる（本実施形態においては、トナーを負帯電させる）ための規制ブレード（不図示）と、を有している。
【００３１】
そして、現像ローラ５２Ｙは感光体２０Ｙと空隙を介して対向しており、現像バイアス供給部１２２（図２）より直流電圧と交流電圧が重畳された現像バイアスが現像ローラ５２Ｙに供給されると、現像ローラ５２Ｙと感光体２０Ｙとの間に電界が形成され、感光体２０Ｙ上の潜像が現像される。
【００３２】
中間転写ベルト７０は、４つの感光体２０Ｙ、２０Ｍ、２０Ｃ、２０Ｋに担持されたトナー像（トナー）を『媒体』（紙、フィルム、布等）に転写する際の中間媒体であり、トナー像を担持した状態で回転して該トナー像を移動させる。また、中間転写ベルト７０は、感光体２０Ｙ、２０Ｍ、２０Ｃ、２０Ｋに当接しており、中間転写ベルト７０と該感光体との当接部には、該感光体上のトナー像が中間転写ベルト７０に転写される一次転写部Ｂ１、Ｂ２、Ｂ３、Ｂ４が形成されている。なお、中間転写ベルト７０の詳細な構成等については、後述する。
【００３３】
一次転写ユニット６０（図４）は、後述するバックアップローラ６５Ｙ、６５Ｍ、６５Ｃ、６５Ｋと協働して、感光体２０Ｙ、２０Ｍ、２０Ｃ、２０Ｋに形成されたトナー像を中間転写ベルト７０に転写（以下、一次転写とも呼ぶ）するための装置である。この一次転写ユニット６０は中間転写ベルト７０に当接しており、電圧供給部１２３の一次転写バイアス供給部１２３ａ（図２）は、この一次転写ユニット６０を介して『転写電圧』である一次転写バイアスを中間転写ベルト７０に供給する。
【００３４】
ここで、一次転写バイアスは、感光体２０Ｙ、２０Ｍ、２０Ｃ、２０Ｋ上のトナーを一次転写部Ｂ１、Ｂ２、Ｂ３、Ｂ４にて中間転写ベルト７０へ向かわせるための電圧である。また、この一次転写バイアスは、感光体上のトナーの帯電極性（マイナスの極性）とは逆極性の電圧である。そして、中間転写ベルト７０に一次転写バイアスが供給されると、一次転写部Ｂ１、Ｂ２、Ｂ３、Ｂ４において、感光体２０Ｙ、２０Ｍ、２０Ｃ、２０Ｋと中間転写ベルト７０との間に電界が形成される。なお、一次転写ユニット６０と電圧供給部１２３の詳細については、後述する。
【００３５】
バックアップローラ６５Ｙ、６５Ｍ、６５Ｃ、６５Ｋは、四つの像形成部１５Ｙ、１５Ｍ、１５Ｃ、１５Ｋの各々の感光体２０Ｙ、２０Ｍ、２０Ｃ、２０Ｋに中間転写ベルト７０を介して当接する。そして、バックアップローラ６５Ｙ、６５Ｍ、６５Ｃ、６５Ｋが中間転写ベルト７０を介して感光体２０Ｙ、２０Ｍ、２０Ｃ、２０Ｋに当接し、かつ、上述したように一次転写部Ｂ１、Ｂ２、Ｂ３、Ｂ４において該感光体と中間転写ベルト７０との間に電界が形成されると、一次転写部Ｂ１、Ｂ２、Ｂ３、Ｂ４において感光体２０Ｙ、２０Ｍ、２０Ｃ、２０Ｋ上のトナー像が順次中間転写ベルト７０に一次転写される。これにより、中間転写ベルト７０にフルカラートナー像が形成される。
【００３６】
感光体クリーニングユニット７５Ｙは、一次転写ユニット６０によって中間転写ベルト７０上にトナー像が転写された後に、感光体２０Ｙ上に残されたトナーを除去して回収するための装置である。この感光体クリーニングユニット７５Ｙは、感光体クリーニングブレード７６Ｙを有している。この感光体クリーニングブレード７６Ｙは、その先端が感光体２０Ｙの表面に当接して、中間転写ベルト７０に転写されずに感光体２０Ｙ上に残されたトナー像（トナー）を除去する。
【００３７】
二次転写ユニット８０は、中間転写ベルト７０上に形成された単色トナー像やフルカラートナー像を媒体に転写（以下、二次転写とも呼ぶ）するための装置である。二次転写ユニット８０は、中間転写ベルト７０に離当接可能な二次転写ローラ８２を有し、二次転写ローラ８２が媒体を介して中間転写ベルト７０に当接する二次転写部Ｃ１にて、中間転写ベルト７０上のトナー像が媒体に二次転写される。具体的には、二次転写ローラ８２に二次転写バイアス供給部１２４（図２）から二次転写バイアスが供給されると、二次転写部Ｃ１において中間転写ベルト７０と二次転写ローラ８２との間に電界が形成され、中間転写ベルト７０上のトナー像が媒体に二次転写される。
【００３８】
中間転写ベルトクリーニングユニット８５は、二次転写部Ｃ１にて媒体に二次転写されずに中間転写ベルト７０に残留するトナーを除去するための装置である。中間転写ベルトクリーニングユニット８５は、除去したトナーを収容するための収容部８６と、『除去部材』の一例としての中間転写ベルトクリーニングブレード８７と、を有する。
【００３９】
中間転写ベルトクリーニングブレード８７は、二次転写部Ｃ１から見て中間転写ベルト７０の回転方向下流側に設けられている。この中間転写ベルトクリーニングブレード８７は、その先端が中間転写ベルト７０の表面に当接して、二次転写部Ｃ１にて媒体に二次転写されずに中間転写ベルト７０に残留するトナーを除去する。また、中間転写ベルトクリーニングブレード８７は、その先端が中間転写ベルト７０の回転方向上流側を向くように、中間転写ベルト７０に当接している。
【００４０】
定着ユニット９０は、媒体上に転写された単色トナー像やフルカラートナー像を、加熱加圧して媒体に融着させて永久像とするための装置である。定着ユニット９０は、定着ローラ９０ａと、加圧ローラ９０ｂを有している。定着ローラ９０ａは、媒体上のトナー像を加熱して、該トナー像を媒体に融着させるためのものである。加圧ローラ９０ｂは、定着ローラ９０ａと協働して、媒体上のトナー像を加圧するためのものである。
【００４１】
また、プリンタ１０の下部から上部にわたって、給紙トレイ９２の媒体を排紙トレイ９８まで搬送するための媒体搬送経路１３が形成されている。この媒体搬送経路１３は、多数のガイド部材によって構成されている。また、媒体搬送経路１３上には、それぞれ媒体を搬送する機能を有する、給紙ローラ９４ａ、レジローラ９４ｂ、及び、排紙ローラ９４ｃ等の複数のローラが配置されている。また、媒体搬送経路１３上には、上記複数のローラによって該媒体搬送経路１３に沿って搬送される媒体を検知するための４つの媒体検知センサー１４ａ、１４ｂ、１４ｃ、１４ｄが配置されている。
【００４２】
また、プリンタ１０の前面側には、開閉可能なカバー１２が設けられている。例えば、媒体搬送経路１３上で媒体が詰まった際に、作業者等が、カバー１２を図１の紙面手前方向へ開いて、詰まった媒体を除去する。また、カバー１２の周辺部には、このカバー１２の開閉を検知するための開閉検知センサー（不図示）が設けられている。
【００４３】
制御ユニット１００は、図２に示すようにメインコントローラ１０１と、ユニットコントローラ１０２とで構成され、メインコントローラ１０１には画像信号及び制御信号が入力され、この画像信号及び制御信号に基づく指令に応じてユニットコントローラ１０２が前記各ユニット等を制御して画像を形成する。
【００４４】
＜＜＜プリンタ１０の動作＞＞＞
次に、このように構成されたプリンタ１０のカラー画像形成動作について、他の構成要素にも言及しつつ説明する。
【００４５】
まず、不図示のホストコンピュータからの画像信号及び制御信号がインターフェイス（Ｉ／Ｆ）１１２を介してプリンタ１０のメインコントローラ１０１に入力されると、このメインコントローラ１０１からの指令に基づくユニットコントローラ１０２の制御により感光体２０Ｙ、２０Ｍ、２０Ｃ、２０Ｋ、現像ユニット５０Ｙ、５０Ｍ、５０Ｃ、５０Ｋに備えられた現像ローラ５２Ｙ、５２Ｍ、５２Ｃ、５２Ｋ、及び、中間転写ベルト７０等が回転する。
【００４６】
感光体２０Ｙ、２０Ｍ、２０Ｃ、２０Ｋは、回転しながら、帯電位置において帯電ユニット３０Ｙ、３０Ｍ、３０Ｃ、３０Ｋ（詳しくは、帯電バイアスが供給された帯電ローラ３１Ｙ、３１Ｍ、３１Ｃ、３１Ｋ）により順次帯電される。感光体２０Ｙ、２０Ｍ、２０Ｃ、２０Ｋの帯電された領域は、感光体２０Ｙ、２０Ｍ、２０Ｃ、２０Ｋの回転に伴って露光位置に至り、露光ユニット４０Ｙ、４０Ｍ、４０Ｃ、４０Ｋによって、イエローＹ、マゼンタＭ、シアンＣ、ブラックＫの画像情報に応じた潜像が該領域に形成される。
【００４７】
感光体２０Ｙ、２０Ｍ、２０Ｃ、２０Ｋ上に形成された潜像は、感光体２０Ｙ、２０Ｍ、２０Ｃ、２０Ｋの回転に伴って現像部Ａ１、Ａ２、Ａ３、Ａ４に至り、現像ユニット５０Ｙ、５０Ｍ、５０Ｃ、５０Ｋ（詳しくは、現像ローラ５２Ｙ、５２Ｍ、５２Ｃ、５２Ｋ）によってトナー像として可視化される（現像される）。これにより、感光体２０Ｙ、２０Ｍ、２０Ｃ、２０Ｋ上に単色トナー像が形成される。なお、現像の際、現像ローラ５２Ｙ、５２Ｍ、５２Ｃ、５２Ｋには、現像バイアスが供給される。
【００４８】
感光体２０Ｙ、２０Ｍ、２０Ｃ、２０Ｋ上に形成された単色トナー像は、感光体２０Ｙ、２０Ｍ、２０Ｃ、２０Ｋの回転に伴って一次転写部Ｂ１、Ｂ２、Ｂ３、Ｂ４に至り、一次転写ユニット６０とバックアップローラ６５Ｙ、６５Ｍ、６５Ｃ、６５Ｋとによって、中間転写ベルト７０に一次転写される。この際、中間転写ベルト７０には、一次転写バイアスが供給される。この結果、各々の感光体２０Ｙ、２０Ｍ、２０Ｃ、２０Ｋ上に形成された４色のトナー像は、中間転写ベルト７０に順次重なり合うように一次転写され、中間転写ベルト７０上にはフルカラートナー像が形成される。
【００４９】
中間転写ベルト７０上に形成されたフルカラートナー像は、中間転写ベルト７０の回転に伴って二次転写部Ｃ１に至り、二次転写ユニット８０（詳しくは、二次転写ローラ８２）によって媒体に二次転写される。なお、媒体は、給紙トレイ９２から、給紙ローラ９４ａ、レジローラ９４ｂを介して二次転写部Ｃ１へ搬送される。また、二次転写動作を行う際、二次転写ローラ８２は中間転写ベルト７０と協働して、二次転写部Ｃ１へ搬送された媒体を狭持するとともに、該二次転写ローラ８２に二次転写バイアスが供給される。
【００５０】
フルカラートナー像が二次転写された媒体は、定着ユニット９０内へ搬送されると、定着ローラ９０ａと加圧ローラ９０ｂの間を、該定着ローラ９０ａと加圧ローラ９０ｂに狭持された状態で通過する。この際、定着ローラ９０ａ及び加圧ローラ９０ｂが媒体上のフルカラートナー像を加熱加圧することにより、該フルカラートナー像は媒体に融着される。そして、フルカラートナー像が融着された媒体は、排紙ローラ９４ｃを介して、排紙トレイ９８へ搬送される。
【００５１】
一方、一次転写部Ｂ１、Ｂ２、Ｂ３、Ｂ４にて中間転写ベルト７０に一次転写されずに感光体２０Ｙ、２０Ｍ、２０Ｃ、２０Ｋ上に残留するトナーは、感光体クリーニングブレード７６Ｙ、７６Ｍ、７６Ｃ、７６Ｋによって除去される。また、二次転写部Ｃ１にて媒体に二次転写されずに中間転写ベルト７０上に残留するトナーは、中間転写ベルトクリーニングブレード８７によって除去される。
【００５２】
＝＝＝制御ユニットの概要＝＝＝
次に、制御ユニット１００の構成について図２を参照しつつ説明する。制御ユニット１００のメインコントローラ１０１は、インターフェイス１１２を介してホストコンピュータと接続され、このホストコンピュータから入力された画像信号を記憶するための画像メモリ１１３を備えている。
【００５３】
ユニットコントローラ１０２は、装置本体の各ユニット（感光体２０Ｙ、２０Ｍ、２０Ｃ、２０Ｋ、帯電ユニット３０Ｙ、３０Ｍ、３０Ｃ、３０Ｋ、露光ユニット４０Ｙ、４０Ｍ、４０Ｃ、４０Ｋ、現像ユニット５０Ｙ、５０Ｍ、５０Ｃ、５０Ｋ、一次転写ユニット６０、中間転写ベルト７０、感光体クリーニングユニット７５Ｙ、７５Ｍ、７５Ｃ、７５Ｋ、二次転写ユニット８０、中間転写ベルトクリーニングユニット８５、定着ユニット９０、表示ユニット９５）と電気的に接続され、それらが備えるセンサからの信号を受信することによって、各ユニットの状態を検出しつつ、メインコントローラ１０１から入力される信号に基づいて、各ユニットを制御する。
【００５４】
＝＝＝中間転写ベルト７０と一次転写ユニット６０と電圧供給部１２３について＝＝＝
次に、中間転写ベルト７０と一次転写ユニット６０と電圧供給部１２３について、図２、図４〜図６を用いて説明する。図４は、中間転写ベルト７０等を示した図である。図５は、中間転写ベルト７０の外周面の一部を示した模式図である。図６は、中間転写ベルト７０と一次転写ユニット６０の当接状態を示した図である。
【００５５】
＜＜＜中間転写ベルト７０の詳細構成＞＞＞
前述したように、中間転写ベルト７０は、感光体２０Ｙ、２０Ｍ、２０Ｃ、２０Ｋ上のトナー（トナー像）を媒体（紙、フィルム、布等）に転写する際の中間媒体であり、トナーを媒体に転写するために、トナーを担持した状態で回転してトナーを移動させる。
【００５６】
この中間転写ベルト７０は、ＰＥＴフィルムの表面に錫蒸着層を設けさらにその表層に半導電塗料を形成（以下、半導電塗料の層を抵抗層７０ａ（図５）とも呼ぶ）、積層したエンドレスのベルトである。また、中間転写ベルト７０の、該中間転写ベルト７０の回転方向（図５にて矢印の示す方向）と直交する直交方向（以下、ベルト直交方向とも呼ぶ）の一端部においては、抵抗層７０ａの代わりに、中間転写ベルト７０の回転方向に沿って電極層７０ｂが形成されている。そして、感光体２０Ｙ、２０Ｍ、２０Ｃ、２０Ｋ上のトナーは、一次転写部Ｂ１、Ｂ２、Ｂ３、Ｂ４にて該抵抗層７０ａに一次転写される。
【００５７】
中間転写ベルト７０の、内周面、かつ、ベルト直交方向の両端部には、中間転写ベルト７０の内側へ突出したビード７０ｃ（図６参照）が固定されている。このビード７０ｃは、中間転写ベルト７０の回転方向に沿って、該中間転写ベルト７０の略全周に亘って設けられている。
【００５８】
また、中間転写ベルト７０の内側には、既述のバックアップローラ６５Ｙ、６５Ｍ、６５Ｃ、６５Ｋの他に、駆動ローラ７１ａ、従動ローラ７１ｂ、ローラ７１ｃ、ローラ７１ｄ等が設けられている。駆動ローラ７１ａは、中間転写ベルト７０の内周面に当接して、中間転写ベルト７０を感光体２０Ｙ、２０Ｍ、２０Ｃ、２０Ｋとほぼ同じ周速度にて回転駆動させる機能を有している。従動ローラ７１ｂ、ローラ７１ｃ、及び、ローラ７１ｄは、中間転写ベルトの内周面に当接して、該中間転写ベルト７０を回転可能に張架している。
【００５９】
従動ローラ７１ｂは、中間転写ベルト７０のベルト直交方向中央部に当接しており、その軸方向両端部に、該従動ローラ７１ｂに対して回動可能な回動部材７３を備えている。回動部材７３は、従動ローラ７１ｂ側にテーパー部７３ａを有しており、該テーパー部７３ａがビード７０ｃに接触することにより、ベルト直交方向への中間転写ベルト７０の移動を規制している。
【００６０】
＜＜＜一次転写ユニット６０の詳細構成＞＞＞
前述したように、中間転写ベルト７０には、一次転写ユニット６０が当接している。この一次転写ユニット６０は、図６に示すように、『導電性部材』の一例としての電極ローラ２１０と、電極ローラ２１０を回転可能に受けるローラ軸受け２２０と、電極ローラ２１０を回転可能に支持するローラ支持板金２３０等、を有している。
【００６１】
電極ローラ２１０は、図６に示すように、中間転写ベルト７０の電極層７０ｂに当接する。そして、電極ローラ２１０は、該電極層７０ｂに当接した状態で、中間転写ベルト７０の回転に伴って回転する構成となっている。すなわち、電極ローラ２１０は、中間転写ベルト７０の回転に連れ回りする従動ローラである。そして、電極ローラ２１０は、中間転写ベルト７０を介してビード７０ｃに対向する位置、に設けられている。
【００６２】
また、電極ローラ２１０は、図６に示すように、中間転写ベルト７０の電極層７０ｂに当接している当接部２１１と、その外径が該当接部２１１の外径より小さいローラ軸２１２を備えている。当接部２１１は、導電性を有する弾性ローラであり、例えばウレタンに導電剤としてのカーボンを分散させた単泡フォームからなる。ローラ軸２１２は、金属製であり、その軸方向の一端側２１２ａがベルト直交方向において中間転写ベルト７０の中央側に位置し、その軸方向の他端側２１２ｂがベルト直交方向において中間転写ベルト７０の端側に位置するように、設けられている。
【００６３】
ローラ軸受け２２０は、図６に示すように、ローラ支持板金２３０に取り付けられており、電極ローラ２１０のローラ軸２１２の一端側２１２ａを回転可能に受けている。ローラ支持板金２３０は、金属製であり、図６に示すように、電極ローラ２１０のローラ軸２１２の一端側２１２ａを、ローラ軸受け２２０を介して支持し、ローラ軸２１２の他端側２１２ｂを、直接支持している。
【００６４】
＜＜＜電圧供給部１２３について＞＞＞
前述したように、中間転写ベルト７０には、一次転写ユニット６０を介して電圧供給部１２３から一次転写バイアスが供給される。電圧供給部１２３は、一次転写バイアスの中間転写ベルト７０への供給と共に、中間転写ベルト７０上のトナーを中間転写ベルト７０から引き離すための『逆転写電圧』である逆転写バイアスの中間転写ベルト７０への供給も可能である。そして、電圧供給部１２３は、一次転写ユニット６０を介して中間転写ベルト７０の全体にわたって、一次転写バイアスまたは逆転写バイアスを供給する。
【００６５】
電圧供給部１２３は、図２に示すように、一次転写バイアス供給部１２３ａと、逆転写バイアス供給部１２３ｂを有している。一次転写バイアス供給部１２３ａは、一次転写バイアスを中間転写ベルト７０に供給するためのものである。逆転写バイアス供給部１２３ｂは、逆転写バイアスを中間転写ベルト７０に供給するためのものである。そして、プリンタ１０の動作中には、一次転写バイアス供給部１２３ａと逆転写バイアス供給部１２３ｂのいずれかが、一次転写バイアスまたは逆転写バイアスを中間転写ベルト７０へ供給するか、もしくは、一次転写バイアス供給部１２３ａと逆転写バイアス供給部１２３ｂとも、一次転写バイアスまたは逆転写バイアスを中間転写ベルト７０へ供給しない。
【００６６】
＝＝＝画像形成中にジャムが発生する場合のプリンタ１０の動作について＝＝＝
プリンタ１０においては、画像形成動作の実行中に、該画像形成動作を途中で停止させる事象が発生することがある。かかる事象として、例えば、画像形成動作中に前記カバー１２が作業者等によって開く事象や、画像形成動作中に媒体搬送経路１３上で媒体が詰まる事象（いわゆる媒体のジャム）がある。ここでは、媒体のジャムを例に挙げて、説明する。
【００６７】
例えば、画像形成動作の実行中に、媒体が、二次転写部Ｃ１において中間転写ベルト７０と二次転写ローラ８２とに挟まって詰まることがある。そして、画像形成動作中に媒体のジャムが発生すると、プリンタ１０は画像形成動作を途中で停止してしまう。このため、画像形成動作を再開するためには、詰まった媒体が除去されることにより、ジャムが解消される必要がある。
【００６８】
ところで、媒体のジャムの発生に起因して画像形成中のプリンタ１０の動作が停止した際に、一次転写部（例えば、一次転写部Ｂ１）と二次転写部Ｃ１との間に、残留トナーが位置することがある。また、各感光体２０Ｙ（２０Ｍ、２０Ｃ、２０Ｋ）上の、現像部Ａ１（Ａ２、Ａ３、Ａ４）と一次転写部Ｂ１（Ｂ２、Ｂ３、Ｂ４）の間に、残留トナーが位置することがある（図９Ａ参照）。かかる際には、ジャム解消後に再度画像形成ができるように、感光体クリーニングブレード７６Ｙ、７６Ｍ、７６Ｃ、７６Ｋや中間転写ベルトクリーニングブレード８７によって、該残留トナーが除去される必要がある。
【００６９】
そこで、プリンタ１０は、媒体のジャムが発生した際には、以下の動作を実行する。すなわち、プリンタ１０は、作業者等に詰まった媒体を除去させるためにジャムの発生を知らせ、その後、詰まった媒体が除去された後（すなわち、ジャム解消後）には、感光体２０Ｙ、２０Ｍ、２０Ｃ、２０Ｋや中間転写ベルト７０を回転させて、感光体クリーニングブレードや中間転写ベルトクリーニングブレードに残留トナーを除去させる。
【００７０】
＜＜＜プリンタ１０の動作の実施例＞＞＞
上記においては、ジャムが発生しない正常時の画像形成動作を説明したが、ここでは、画像形成中にジャムが発生する場合に、プリンタ１０がどのような動作をするかについて、図７を用いて説明する。図７は、画像形成中にジャムが発生する場合のプリンタ１０の動作を説明するためのフローチャートである。
【００７１】
当該プリンタ１０の動作が実行されるときの各種動作は、主として、『制御部』の一例としての制御ユニット１００（図３）により実現される。特に、本実施の形態においては、ＲＯＭに格納されたプログラムをＣＰＵが処理することにより実現される。そして、このプログラムは、以下に説明される各種の動作を行うためのコードから構成されている。
【００７２】
制御ユニット１００は、ホストコンピュータからの画像信号及び制御信号を受信すると、上述した画像形成動作を開始させる（ステップｓ１０２）。ここでは、媒体一枚にカラー画像を形成させるものとする。
【００７３】
そして、制御ユニット１００は、媒体検知センサー１４ａ、１４ｂ、１４ｃ、１４ｄを介してカラー画像形成中に媒体搬送経路１３上で媒体のジャムが発生したと判断した場合には（ステップｓ１０４：Ｙｅｓ）、プリンタ１０の動作を停止させる（ステップｓ１０６）。本実施例においては、媒体が、中間転写ベルト７０と二次転写ローラ８２に挟まって、詰まったとする（図９Ａ参照）。すると、制御ユニット１００は、感光体２０Ｙ、２０Ｍ、２０Ｃ、２０Ｋ、中間転写ベルト７０等の回転を停止させ（図８と図１０参照）、二次転写ローラ８２を中間転写ベルト７０から離間させる。また、制御ユニット１００は、現像ローラ５２Ｙ、５２Ｍ、５２Ｃ、５２Ｋへの現像バイアスの供給と、中間転写ベルト７０への一次転写バイアスの供給と、二次転写ローラ８２への二次転写バイアスの供給とを中止させる。
【００７４】
さらに、制御ユニット１００は、表示ユニット９５に、ジャムが発生した旨のジャム発生情報を表示させて（ステップｓ１０８）、作業者等にジャムの発生を認識させる。
【００７５】
ところで、ジャムが発生したとき（より詳しくは、ジャムが発生してプリンタ１０の動作が停止したとき）には、図９Ａの▲で示すように媒体Ｓ上にトナーが位置するが、感光体２０Ｙ、２０Ｍ、２０Ｃ、２０Ｋ及び中間転写ベルト７０上にもトナーが位置する。具体的には、ジャムが発生したときには、図９Ａの●で示すように、感光体２０Ｙ、２０Ｍ、２０Ｃ、２０Ｋ上の、現像部と一次転写部の間に、残留トナー（以下、「感光体残留トナーＤ１」とも呼ぶ）が位置する。また、図９Ａの○で示すように、二次転写部Ｃ１から見て中間転写ベルト７０の回転方向上流側で、かつ、一次転写部Ｂ１と二次転写部Ｃ１との間に、残留トナー（以下、「二転前残留トナーＤ２」とも呼ぶ）が位置する。さらに、図９Ａの△で示すように、二次転写部Ｃ１から見て中間転写ベルト７０の回転方向下流側で、かつ、二次転写部Ｃ１とトナー除去部Ｃ２との間に、残留トナー（以下、「非二転残留トナーＤ３」とも呼ぶ）が位置する。
【００７６】
図７のフローチャートに戻って、プリンタ１０の動作についての説明を続ける。制御ユニット１００は、ジャム発生後に既述の開閉検知センサーによってカバー１２が開いたことと閉じたことの双方が検知された場合には（ステップｓ１１０：Ｙｅｓ）、媒体検知センサー１４ａ、１４ｂ、１４ｃ、１４ｄに媒体搬送経路１３上に媒体があるかどうかを検知させる（ステップｓ１１２）。
【００７７】
本実施例においては、カバー１２が開いてから閉じるまでの間に、図９Ｂに示すように、媒体が除去されたものとする。すると、制御ユニット１００は、媒体検知センサー１４ａ、１４ｂ、１４ｃ、１４ｄが媒体を検知しないので（ステップｓ１１２：Ｎｏ）、詰まった媒体が除去されたものと判断する。すなわち、制御ユニット１００は、ジャムが解消したものと判断する（図８と図１０参照）。
【００７８】
制御ユニット１００は、ジャムが解消したと判断すると、まず、表示ユニット９５での前記ジャム発生情報の表示を中止させる（ステップｓ１１４）。そして、制御ユニット１００は、ジャム発生時に感光体２０Ｙ、２０Ｍ、２０Ｃ、２０Ｋや中間転写ベルト７０に残留する残留トナーを除去するための動作（以下、「ジャム解消後トナー除去動作」とも呼ぶ）の実行を開始させる（ステップｓ１１６）。この「ジャム解消後トナー除去動作」の実行により、該残留トナーが、感光体クリーニングブレード７６Ｙ、７６Ｍ、７６Ｃ、７６Ｋや中間転写ベルトクリーニングブレード８７によって除去されることとなる。なお、この「ジャム解消後トナー除去動作」の詳細については、後述する。
【００７９】
制御ユニット１００は、「ジャム解消後トナー除去動作」の実行が終了した後に、ジャム発生により媒体に形成されなかったカラー画像の形成を、再度実行させる（ステップｓ１０２）。そして、このカラー画像形成動作中に媒体のジャムが発生しない場合には（ステップｓ１０４：Ｎｏ）、カラー画像の形成が終了した（ステップｓ１２０）後に、プリンタ１０は次の画像形成に備えることとなる。
【００８０】
＝＝＝ジャム解消後トナー除去動作について＝＝＝
次に、ジャム解消後トナー除去動作の二つの実施例について、説明する。なお、それぞれの実施例においては、主に、ジャム解消後トナー除去動作時の感光体２０Ｙ、２０Ｍ、２０Ｃ、２０Ｋ、中間転写ベルト７０、及び電圧供給部１２３の動作、及び、感光体２０Ｙ、２０Ｍ、２０Ｃ、２０Ｋと中間転写ベルト７０の残留トナーの状態について、説明する。
【００８１】
＜＜＜第一実施例＞＞＞
ジャム解消後トナー除去動作の第一実施例について、図８、図９Ａ〜図９Ｄを用いて説明する。図８は、第一実施例に係るジャム解消後トナー除去動作を説明するためのタイムチャートである。図９Ａ〜図９Ｄは、感光体２０Ｙ、２０Ｍ、２０Ｃ、２０Ｋや中間転写ベルト７０上の残留トナーの状態を示した模式図である。図９Ａはジャムが発生したときの残留トナーの状態を、図９Ｂは図８の時間ｔ１の際の残留トナーの状態を、図９Ｃは図８の時間ｔ２の際の残留トナーの状態を、図９Ｄは図８の時間ｔ３の際の残留トナーの状態を、それぞれ示している。なお、図８には、矢印にて時間ｔが示されている。また、図９Ａ〜図９Ｄに示す○、●、△、▲は、トナーを示している。
【００８２】
上述したように、制御ユニット１００は、ジャムが解消したものと判断した際（図８の時間ｔ１の際）に、ジャム解消後トナー除去動作の実行を開始させる。具体的には、制御ユニット１００は、時間ｔ１の際に、感光体２０Ｙ、２０Ｍ、２０Ｃ、２０Ｋ及び中間転写ベルト７０を同時に回転させる。一方で、制御ユニット１００は、時間ｔ１の際に、帯電ユニット３０Ｙ、３０Ｍ、３０Ｃ、３０Ｋと、露光ユニット４０Ｙ、４０Ｍ、４０Ｃ、４０Ｋと、現像ユニット５０Ｙ、５０Ｍ、５０Ｃ、５０Ｋを、動作させない。このため、新たに、感光体２０Ｙ、２０Ｃ、２０Ｍ、２０Ｋに潜像やトナー像は形成されない（図９Ｃと図９Ｄ参照）。
【００８３】
時間ｔ１にて感光体２０Ｙ、２０Ｍ、２０Ｃ、２０Ｋが回転すると、ジャムが発生したときに該感光体上に残留する感光体残留トナーＤ１（図９Ａにて●で示す残留トナー）も移動する。各感光体上の感光体残留トナーＤ１の移動の態様は、ほぼ同じなので、ここでは、感光体２０Ｙ上の感光体残留トナーＤ１の移動の態様について説明する。
【００８４】
感光体２０Ｙが回転すると、現像部Ａ１と一次転写部Ｂ１の間に位置する感光体残留トナーＤ１が、該感光体２０Ｙの回転に伴って移動して順次感光体クリーニングブレード７６Ｙによって除去される。そして、ジャムが発生したときに現像部Ａ１に位置する感光体残留トナー（以下、「感光体残留トナーＤ１ａ」とも呼ぶ）が、感光体２０Ｙの回転に伴って移動して、時間ｔ２で感光体クリーニングブレード７６Ｙによって除去される。
【００８５】
なお、本実施例に係るジャム解消後トナー除去動作においては、制御ユニット１００は、時間ｔ１から時間ｔ２までの間、一次転写バイアス供給部１２３ａによる一次転写バイアスの供給を実行させない。このため、一次転写部Ｂ１に至った感光体残留トナーＤ１は、中間転写ベルト７０に移らずに感光体２０Ｙ上に留まった状態で、一次転写部Ｂ１を通過することとなる。
【００８６】
中間転写ベルト７０は、時間ｔ１から時間ｔ２までの間、回転を続ける。したがって、中間転写ベルト７０のこの回転に伴って、二転前残留トナーＤ２（図９Ａにて○で示す残留トナー）と非二転残留トナーＤ３（図９Ａにて△で示す残留トナー）が、移動する。そして、非二転残留トナーＤ３が、中間転写ベルト７０の回転に伴ってトナー除去部Ｃ２に至り、中間転写ベルトクリーニングブレード８７によって除去される。一方、二転前残留トナーＤ２は、時間ｔ１から時間ｔ２までの間、トナー除去部Ｃ２に至らない。
【００８７】
中間転写ベルト７０は、時間ｔ２後も回転を続けており、中間転写ベルトクリーニングブレード８７は、該中間転写ベルト７０の回転に伴って移動してトナー除去部Ｃ２に至る非二転残留トナーＤ３を、継続して除去する。そして、ジャムが発生したときに二次転写部Ｃ１に位置する二転前残留トナー（以下、「二転前残留トナーＤ２ａ」とも呼ぶ）が、中間転写ベルト７０の回転に伴って移動して、時間ｔ３でトナー除去部Ｃ２に至る（図９Ｄ）。
【００８８】
制御ユニット１００は、二転前残留トナーＤ２ａがトナー除去部Ｃ２に至る際（時間ｔ３の際）に、逆転写バイアス供給部１２３ｂに中間転写ベルト７０へ逆転写バイアスを供給させる。そして、制御ユニット１００は、ジャム発生のときから中間転写ベルト７０が約一回転するまで、逆転写バイアス供給部１２３ｂによる逆転写バイアスの供給を継続させる。
【００８９】
そして、逆転写バイアス供給部１２３ｂによる逆転写バイアスの供給の実行中に、二転前残留トナーＤ２の全てが、中間転写ベルトクリーニングブレード８７により除去される。ここで、二転前残留トナーＤ２が既述のように負帯電トナーであり、中間転写ベルト７０に供給されている逆転写バイアスが、二転前残留トナーＤ２の帯電極性とは同極性の電圧である。このため、トナー除去部Ｃ２に位置する二転前残留トナーＤ２には、該二転前残留トナーＤ２を中間転写ベルト７０から離れさせようとする力が、作用する。このため、二転前残留トナーＤ２が、中間転写ベルトクリーニングブレード８７により適切に除去されることとなる。
【００９０】
なお、本実施例においては、逆転写バイアスと一次転写バイアスの極性は異なるが、互いのバイアスの大きさの絶対値は等しい。具体的には、一次転写バイアスの大きさが−２５０Ｖであり、逆転写バイアスの大きさが２５０Ｖである。ただし、逆転写バイアスと一次転写バイアスの大きさは、これに限定されず、逆転写バイアスの大きさの絶対値が一次転写バイアスの大きさの絶対値よりも小さく設定されてもよい。例えば、一次転写バイアスの大きさが２５０Ｖであり、逆転写バイアスの大きさが−５０Ｖであってもよい。
【００９１】
制御ユニット１００は、時間ｔ４の際に、逆転写バイアス供給部１２３ｂによる逆転写バイアスの供給の実行を中止させる。また、制御ユニット１００は、時間ｔ４の際に、感光体２０Ｙ、２０Ｍ、２０Ｃ、２０Ｋ及び中間転写ベルト７０の回転を停止させる。これにより、第一実施例にかかるジャム解消後トナー除去動作が終了する。ここで、時間ｔ４は、ジャム発生のときから中間転写ベルト７０が一回転する時間に相当する。ただし、これに限定されるものではなく、例えば、時間ｔ４は、ジャム発生のときから中間転写ベルト７０が二回転する時間に相当することとしてもよい。
【００９２】
＜＜＜第二実施例＞＞＞
ジャム解消後トナー除去動作の第二実施例について、図９Ａ〜図９Ｄ、図１０を用いて説明する。図１０は、第二実施例に係るジャム解消後トナー除去動作を説明するためのタイムチャートである。なお、図１０に示す時間ｔ１〜ｔ４は、図８に示す時間ｔ１〜ｔ４と同じ時間を示している。
【００９３】
第二実施例においても、制御ユニット１００は、時間ｔ１の際に、ジャム解消後トナー除去動作の実行を開始させる。そして、ジャム解消後トナー除去動作の実行が開始されてから、二転前残留トナーＤ２ａがトナー除去部Ｃ２に至る直前（すなわち、時間ｔ３の直前）までは、第一実施例に係るジャム解消後トナー除去動作と同様な動作が実行される。
【００９４】
すなわち、感光体２０Ｙ、２０Ｍ、２０Ｃ、２０Ｋ上の感光体残留トナーＤ１（図９Ａにて●で示す残留トナー）が、該感光体の回転に伴って移動して感光体クリーニングブレード７６Ｙ、７６Ｍ、７６Ｃ、７６Ｋによって除去される（図９Ｂと図９Ｃ）。また、中間転写ベルト７０上の非二転残留トナーＤ３が、該中間転写ベルト７０の回転に伴ってトナー除去部Ｃ２に移動して中間転写ベルトクリーニングブレード８７によって除去される（図９Ｂと図９Ｃ）。
【００９５】
一方で、二転前残留トナーＤ２ａがトナー除去部Ｃ２に至る際（図９Ｄ）、及びその以降のプリンタ１０の動作は、第一実施例に係るプリンタ１０の動作とは異なる。そこで、以下においては、二転前残留トナーＤ２ａがトナー除去部Ｃ２に至る際、及びその以降のプリンタ１０の動作について、説明する。
【００９６】
制御ユニット１００は、第一実施例に係るジャム解消後トナー除去動作とは異なり、二転前残留トナーＤ２ａがトナー除去部Ｃ２に至る際（時間ｔ３の際）に、一次転写バイアス供給部１２３ａによる一次転写バイアスの供給、及び、逆転写バイアス供給部１２３ｂによる逆転写バイアスの供給を実行させない。すなわち、電圧供給部１２３は、中間転写ベルト７０に電圧を供給しない。そして、電圧供給部１２３は、ジャム発生のときから中間転写ベルト７０が約一回転するまで、中間転写ベルト７０に電圧を供給しない。
【００９７】
そして、電圧供給部１２３による電圧の供給が実行されない間に、二転前残留トナーＤ２の全てが、中間転写ベルトクリーニングブレード８７により除去される。ここで、中間転写ベルト７０には電圧供給部１２３から電圧（一次転写バイアス）が供給されないから、トナー除去部Ｃ２に位置する二転前残留トナーＤ２には、該二転前残留トナーＤ２を中間転写ベルト７０に引き付けるような力が、作用しない。このため、二転前残留トナーＤ２が、中間転写ベルトクリーニングブレード８７により適切に除去されることとなる。
【００９８】
制御ユニット１００は、二転前残留トナーＤ２が中間転写ベルトクリーニングブレード８７によって除去された後である時間ｔ４の際に、感光体２０Ｙ、２０Ｍ、２０Ｃ、２０Ｋ及び中間転写ベルト７０を停止させる。これにより、ジャム解消後トナー除去動作が終了する。
【００９９】
＝＝＝本実施形態に係るプリンタ１０の有効性について＝＝＝
上述したように、本実施形態に係る『画像形成装置』（プリンタ１０）は、（ａ）『現像剤』（トナー）を担持可能な感光体２０Ｙ、２０Ｍ、２０Ｃ、２０Ｋと、（ｂ）該感光体２０Ｙ、２０Ｍ、２０Ｃ、２０Ｋのトナーを媒体に転写する際の中間媒体となる回転可能な『中間転写体』（中間転写ベルト７０）と、（ｃ）感光体２０Ｙ、２０Ｍ、２０Ｃ、２０Ｋ上のトナーを一次転写部Ｂ１、Ｂ２、Ｂ３、Ｂ４にて中間転写ベルト７０へ向かわせるための『転写電圧』（一次転写バイアス）、を該中間転写ベルト７０に供給する電圧供給部１２３と、（ｄ）中間転写ベルト７０の回転に伴い二次転写部Ｃ１に移動したトナーを媒体に転写するための『二次転写部材』（二次転写ローラ８２）と、（ｅ）二次転写部Ｃ１から見て中間転写ベルト７０の回転方向下流側に設けられ、中間転写ベルト７０に当接して、該中間転写ベルト７０に残留する『残留現像剤』（残留トナー）を除去する『除去部材』（中間転写ベルトクリーニングブレード８７）と、（ｆ）電圧供給部１２３を制御するための『制御部』（制御ユニット１００）と、を備えることとした。そして、制御ユニット１００は、図９Ｂに示すように、画像形成動作を途中で停止させる事象（以下では、該事象として、媒体のジャムを例に挙げて説明する）が発生したときに、二次転写部Ｃ１から見て中間転写ベルト７０の回転方向上流側に位置し、かつ、一次転写部（例えば、一次転写部Ｂ１）と二次転写部Ｃ１との間に位置する二転前残留トナーＤ２（図９Ｂにて○で示すトナー）、が前記画像形成動作の再開のために中間転写ベルトクリーニングブレード８７により除去される際には、図８や図１０に示すように、電圧供給部１２３による一次転写バイアスの供給を実行させないこととした。これにより、画像形成動作の再開のための中間転写ベルトクリーニングブレード８７による二転前残留トナーＤ２の除去が、適切に行われる。以下において、詳細に説明する。
【０１００】
「発明が解決しようとする課題」の項で説明したように、ジャムが発生したときに、例えば図９Ａに示すように、二次転写部Ｃ１から見て中間転写ベルト７０の回転方向上流側に位置で、かつ、一次転写部Ｂ１と二次転写部Ｃ１との間に、残留トナー（すなわち、二転前残留トナーＤ２）が位置することがある。かかる場合には、画像形成動作の再開のために、ジャムが解消された後に該二転前残留トナーＤ２が中間転写ベルトクリーニングブレード８７によって除去されることになるから、画像形成時に比べて、中間転写ベルトクリーニングブレード８７によって除去すべき残留トナーの量が多くなりやすい。
【０１０１】
そして、多量の二転前残留トナーＤ２がジャムの解消後に中間転写ベルトクリーニングブレード８７により除去される際に、中間転写ベルト７０にトナーを中間転写体へ向かわせるための一次転写バイアスが供給されると、中間転写ベルト７０に残留する多量の二転前残留トナーＤ２が、中間転写ベルト７０に引き付けられることとなる。かかる際には、該二転前残留トナーＤ２が、中間転写ベルトクリーニングブレード８７によって適切に除去されずに、中間転写ベルト７０にそのまま残留する恐れがある。
【０１０２】
図１１Ａを用いて具体的に説明する。中間転写ベルト７０の一次転写バイアスが供給されると、図１１Ａに示すように、トナー除去部Ｃ２に位置する二転前残留トナーＤ２を中間転写ベルト７０へ引き付ける力（図１１に示す力Ｆ１）が、作用する。この力Ｆ１が作用する理由は、二転前残留トナーＤ２が負帯電トナーであり、一次転写バイアスの極性が該二転前残留トナーＤ２の帯電極性とは逆極性であるからである。このため、トナー除去部Ｃ２にて、多量の二転前残留トナーＤ２のうちの一部が、中間転写ベルトクリーニングブレード８７によって除去されずに、該一部がトナー除去部を通過してしまうこととなる。このように、中間転写ベルトクリーニングブレード８７によるトナーの除去が適切に行われない。なお、図１１Ａは、比較例を説明するための図である。
【０１０３】
これに対し、本実施形態においては、図８や図１０に示すように、媒体のジャムが発生したときに中間転写ベルト７０に残留する二転前残留トナーＤ２が、画像形成動作の再開のために中間転写ベルトクリーニングブレード８７により除去される際には、電圧供給部１２３（一次転写バイアス供給部１２３ａ）による一次転写バイアスの供給を実行させないこととしている。具体的には、図８に示す第一実施例においては、二転前残留トナーＤ２が、画像形成動作の再開のために中間転写ベルトクリーニングブレード８７により除去される際には、一次転写バイアス供給部１２３ａによる一次転写バイアスの供給が実行されず、逆転写バイアス供給部１２３ｂによる逆転写バイアスの供給が実行される。また、図１０に示す第二実施例においては、二転前残留トナーＤ２が、画像形成動作の再開のために中間転写ベルトクリーニングブレード８７により除去される際には、一次転写バイアス供給部１２３ａによる一次転写バイアスの供給、及び、逆転写バイアス供給部１２３ｂによる逆転写バイアスの供給が実行されない。
【０１０４】
このように、二転前残留トナーＤ２が除去される際に一次転写バイアス供給部１２３ａによる一次転写バイアスの供給が実行されない場合には、トナー除去部Ｃ２に位置する二転前残留トナーＤ２を中間転写ベルト７０へ引き付ける力Ｆ１が、生じない。このため、二転前残留トナーＤ２が、中間転写ベルトクリーニングブレード８７によって適切に除去されることとなる。
【０１０５】
なお、図８に示す第一実施例においては、二転前残留トナーＤ２が、画像形成動作の再開のために、ジャムが解消された後に中間転写ベルトクリーニングブレード８７により除去される際に、電圧供給部１２３（逆転写バイアス供給部１２３ｂ）による逆転写バイアス（二転前残留トナーＤ２の帯電極性と同極性の電圧）の供給が実行されるため、以下の効果が奏される。すなわち、逆転写バイアスが中間転写ベルト７０に供給される場合には、図１１Ｂに示すように、トナー除去部Ｃ２に位置する残留トナーを中間転写ベルト７０から引き離す力Ｆ２が、生じる。このため、該残留トナーが、中間転写ベルトクリーニングブレード８７によって、除去されやすくなる。なお、図１１Ｂは、本実施形態に係るプリンタ１０の有効性を説明するための図である。
【０１０６】
＝＝＝その他の実施形態＝＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１０７】
なお、上記実施の形態において、感光体は、円筒状の導電性基材の外周面に感光層を設けた構成として説明したが、これに限定されるものではない。例えば、ベルト状の導電性基材の表面に感光層を設けて構成した、いわゆる感光ベルトであってもよい。
【０１０８】
なお、上記実施の形態において、『中間転写体』はベルトであることとしたが、これに限定されるものではなく、例えば、『中間転写体』はドラムであることとしてもよい。また、『除去部材』はブレードであることとしたが、これに限定されるものではなく、例えば、『除去部材』はローラ等であることとしてもよい。
【０１０９】
さらに、上記実施の形態において、図８や図１０に示すように、制御ユニット１００は、画像形成動作を途中で停止させる事象（媒体のジャム）が発生したときに、中間転写ベルトクリーニングブレード８７により残留トナーの除去が行われる『現像剤除去部』（トナー除去部Ｃ２）、から見て中間転写ベルト７０の回転方向上流側に位置し、かつ、一次転写部（例えば、一次転写部Ｂ１）とトナー除去部Ｃ２との間に位置する残留トナー（すなわち、二転前残留トナーＤ２及び非二転残留トナーＤ３）、が前記画像形成動作の再開のために中間転写ベルトクリーニングブレード８７により除去される際には、電圧供給部１２３による一次転写バイアスの供給を実行させないこととしたが、これに限定されるものではない。例えば、二転前残留トナーＤ２が除去される際には、電圧供給部１２３による一次転写バイアスの供給を実行させず、非二転残留トナーＤ３が除去される際には、電圧供給部１２３による一次転写バイアスの供給を実行させることとしてもよい。  
上述したように、ジャムが発生したときに、該ジャムの発生前に二次転写部Ｃ１にて媒体に二次転写されずに中間転写ベルト７０上に残留する非二転残留トナーＤ３が、二次転写部Ｃ１とトナー除去部Ｃ２の間に、位置する（図９Ａ）。かかる場合に、該非二転残留トナーＤ３が除去される際にも電圧供給部１２３による一次転写バイアスの供給が実行させないこととすると、二転前残留トナーＤ２だけでなく非二転残留トナーＤ３も、中間転写ベルトクリーニングブレード８７によって適切に除去されることとなる。従って、上記実施の形態の方がより望ましい。
【０１１０】
さらに、上記実施の形態において、電圧供給部１２３（一次転写バイアス供給部１２３ａ）は、中間転写ベルト７０の全体にわたって一次転写バイアスを供給することとしたが、これに限定されるものではない。例えば、中間転写ベルト７０が、ベルト直交方向（図５）に沿った一定幅の繋ぎ部を有する環状のベルトであり、一次転写バイアス供給部１２３ａは、中間転写ベルト７０の該繋ぎ部に一次転写バイアスを供給しないこととしてもよい（すなわち、一次転写バイアス供給部１２３ａは、中間転写ベルト７０の全体に一次転写バイアスを供給しない）。  
ただし、中間転写ベルト７０の全体に一次転写バイアスが供給される構成の場合には、中間転写ベルト７０に一次転写バイアスが供給される際に、トナー除去部Ｃ２に位置する二転前残留トナーＤ２を中間転写ベルト７０に引き付ける力（図１１Ａに示す力Ｆ１）が、絶えず生じることとなる。このため、二転前残留トナーＤ２が除去される際に一次転写バイアスの供給が実行されないことによる効果、すなわち、画像形成動作の再開のための中間転写ベルトクリーニングブレード８７による二転前残留トナーＤ２の除去が適切に行われる効果が、より有効に奏される。従って、上記実施の形態の方がより望ましい。
【０１１１】
さらに、上記実施の形態において、図６に示すように、中間転写ベルト７０の、該中間転写ベルト７０の回転方向と直交する直交方向端部には、電極層７０ｂが設けられていることとした。また、プリンタ１０は、該電極層７０ｂに当接する『導電性部材』（電極ローラ２１０）を備えたこととした。そして、電圧供給部１２３は、電極ローラ２１０を介して一次転写バイアスを中間転写ベルト７０に供給することとした。しかし、上記に限定されるものではなく、電圧供給部１２３から中間転写ベルト７０に一次転写バイアスを供給できれば、どのような構成でも良い。
【０１１２】
さらに、上記実施の形態において、図１に示すように、プリンタ１０は、互いに色が異なるトナー（すなわち、イエロートナー、マゼンタトナー、シアントナー、ブラックトナー）を担持可能な４つの感光体２０Ｙ、２０Ｍ、２０Ｃ、２０Ｋ、を備えたこととした。そして、中間転写ベルト７０は、各々の感光体２０Ｙ、２０Ｍ、２０Ｃ、２０Ｋ上のトナーを媒体に転写する際の中間媒体となることとした。しかし、上記に限定されるものではない。例えば、プリンタ１０は、単色の画像を形成するために、感光体を一つ（例えば、感光体２０Ｋ）のみ備えていることとしてもよい。  
ただし、プリンタ１０が４つの感光体２０Ｙ、２０Ｍ、２０Ｃ、２０Ｋを備えている場合には、該感光体上のトナーが一次転写部Ｂ１、Ｂ２、Ｂ３、Ｂ４にて中間転写ベルト７０へ順次転写されることになるから、ジャムが発生したときに中間転写ベルト７０に残留する二転前残留トナーＤ２が、より多くなりやすい。このため、二転前残留トナーＤ２が除去される際に一次転写バイアスの供給が実行されないことによる効果、すなわち、画像形成動作の再開のための中間転写ベルトクリーニングブレード８７による二転前残留トナーＤ２の除去が適切に行われる効果が、より有効に奏される。従って、上記実施の形態の方がより望ましい。
【０１１３】
＝＝＝画像形成システム等の構成＝＝＝
次に、本発明に係る実施の形態の一例である『画像形成システム』の実施形態について、図面を参照しながら説明する。
【０１１４】
図１２は、画像形成システムの外観構成を示した説明図である。画像形成システム７００は、コンピュータ７０２と、表示装置７０４と、プリンタ１０と、入力装置７０８と、読取装置７１０とを備えている。
【０１１５】
コンピュータ７０２は、本実施形態ではミニタワー型の筐体に収納されているが、これに限られるものではない。表示装置７０４は、ＣＲＴ（Cathode Ray Tube：陰極線管）やプラズマディスプレイや液晶表示装置等が用いられるのが一般的であるが、これに限られるものではない。プリンタ１０は、上記に説明されたプリンタが用いられている。入力装置７０８は、本実施形態ではキーボード７０８Ａとマウス７０８Ｂが用いられているが、これに限られるものではない。読取装置７１０は、本実施形態ではフレキシブルディスクドライブ装置７１０ＡとＣＤ−ＲＯＭドライブ装置７１０Ｂが用いられているが、これに限られるものではなく、例えばＭＯ（Magneto Optical）ディスクドライブ装置やＤＶＤ（Digital Versatile Disk）等の他のものであっても良い。
【０１１６】
図１３は、図１２に示した画像形成システムの構成を示すブロック図である。コンピュータ７０２が収納された筐体内にＲＡＭ等の内部メモリ８０２と、ハードディスクドライブユニット８０４等の外部メモリがさらに設けられている。
【０１１７】
なお、以上の説明においては、プリンタ１０が、コンピュータ７０２、表示装置７０４、入力装置７０８、及び、読取装置７１０と接続されて画像形成システムを構成した例について説明したが、これに限られるものではない。例えば、画像形成システムが、コンピュータ７０２とプリンタ１０から構成されても良く、画像形成システムが表示装置７０４、入力装置７０８及び読取装置７１０のいずれかを備えていなくても良い。
【０１１８】
また、例えば、プリンタ１０が、コンピュータ７０２、表示装置７０４、入力装置７０８、及び、読取装置７１０のそれぞれの機能又は機構の一部を持っていても良い。一例として、プリンタ１０が、画像処理を行う画像処理部、各種の表示を行う表示部、及び、デジタルカメラ等により撮影された画像データを記録した記録メディアを着脱するための記録メディア着脱部等を有する構成としても良い。
【０１１９】
このようにして実現された画像形成システムは、システム全体として従来システムよりも優れたシステムとなる。
【図面の簡単な説明】
【０１２０】
【図１】プリンタ１０を構成する主要構成要素を示した図である。
【図２】プリンタ１０の制御ユニット１００の構成を示したブロック図である。
【図３】像形成部１５Ｙを示した図である。
【図４】中間転写ベルト７０等を示した図である。
【図５】中間転写ベルト７０の外周面の一部を示した模式図である。
【図６】中間転写ベルト７０と一次転写ユニット６０の当接状態を示した図である。
【図７】画像形成中にジャムが発生する場合のプリンタ１０の動作を説明するためのフローチャートである。
【図８】第一実施例に係るジャム解消後トナー除去動作を説明するためのタイムチャートである。
【図９Ａ】ジャムが発生したときの残留トナーの状態を示している。
【図９Ｂ】図８の時間ｔ１の際の残留トナーの状態を示している。
【図９Ｃ】図８の時間ｔ２の際の残留トナーの状態を示している。
【図９Ｄ】図８の時間ｔ３の際の残留トナーの状態を示している。
【図１０】第二実施例に係るジャム解消後トナー除去動作を説明するためのタイムチャートである。
【図１１】図１１Ａは、比較例を説明するための図である。図１１Ｂは、本実施形態に係るプリンタ１０の有効性を説明するための図である。
【図１２】画像形成システムの外観構成を示した説明図である。
【図１３】図１２に示した画像形成システムの構成を示すブロック図である。
【符号の説明】
【０１２１】
１０  プリンタ、１０ａ  プリンタ本体、１２  カバー、１３  媒体搬送経路、
１４ａ、１４ｂ、１４ｃ、１４ｄ  媒体検知センサー、
１５Ｙ、１５Ｍ、１５Ｃ、１５Ｋ  像形成部、
２０Ｙ、２０Ｍ、２０Ｃ、２０Ｋ  感光体、
３０Ｙ、３０Ｍ、３０Ｃ、３０Ｋ  帯電ユニット、
３１Ｙ、３１Ｍ、３１Ｃ、３１Ｋ  帯電ローラ、
３５Ｙ、３５Ｍ、３５Ｃ、３５Ｋ  クリーニングローラ、
４０Ｙ、４０Ｍ、４０Ｃ、４０Ｋ  露光ユニット、
５０Ｙ、５０Ｍ、５０Ｃ、５０Ｋ  現像ユニット、
５１Ｙ、５１Ｍ、５１Ｃ、５１Ｋ  トナー収容部、
５２Ｙ、５２Ｍ、５２Ｃ、５２Ｋ  現像ローラ、
５３Ｙ、５３Ｍ、５３Ｃ、５３Ｋ  供給ローラ、
６０  一次転写ユニット、６５Ｙ、６５Ｍ、６５Ｃ、６５Ｋ  バックアップローラ、
７０  中間転写ベルト、７１ａ  駆動ローラ、７１ｂ  従動ローラ、
７１ｃ  ローラ、７１ｄ  ローラ、
７５Ｙ、７５Ｍ、７５Ｃ、７５Ｋ  感光体クリーニングユニット、
７６Ｙ、７６Ｍ、７６Ｃ、７６Ｋ  感光体クリーニングブレード、
８０  二次転写ユニット、８２  二次転写ローラ、
８５  中間転写ベルトクリーニングユニット、８６  収容部、
８７  中間転写ベルトクリーニングブレード、９０  定着ユニット、
９０ａ  定着ローラ、９０ｂ  加圧ローラ、９２  給紙トレイ、
９４ａ  給紙ローラ、９４ｂ  レジローラ、９４ｃ  排紙ローラ、
９５  表示ユニット、９８  排紙トレイ、
１００  制御ユニット、１０１  メインコントローラ、
１０２  ユニットコントローラ、１１２  インターフェイス、１１３  画像メモリ、
１２１  帯電バイアス供給部、１２２  現像バイアス供給部、１２３  電圧供給部、
１２３ａ  一次転写バイアス供給部、１２３ｂ  逆転写バイアス供給部、
１２４  二次転写バイアス供給部、
２１０  電極ローラ、２１１  当接部、２１２  ローラ軸、２２０  ローラ軸受け、
２３０  ローラ支持板金、
７００  画像形成システム、７０２  コンピュータ、７０４  表示装置、
７０８  入力装置、７０８Ａ  キーボード、７０８Ｂ  マウス、７１０  読取装置、
７１０Ａ  フレキシブルディスクドライブ装置、
７１０Ｂ  ＣＤ−ＲＯＭドライブ装置、８０２  内部メモリ、
Ａ１、Ａ２、Ａ３、Ａ４  現像部、Ｂ１、Ｂ２、Ｂ３、Ｂ４  一次転写部、
Ｃ１  二次転写部、Ｃ２  トナー除去部
【図１】
2007286257.tif 000003
【図２】
2007286257.tif 000004
【図３】
2007286257.tif 000005
【図４】
2007286257.tif 000006
【図５】
2007286257.tif 000007
【図６】
2007286257.tif 000008
【図７】
2007286257.tif 000009
【図８】
2007286257.tif 000010
【図９Ａ】
2007286257.tif 000011
【図９Ｂ】
2007286257.tif 000012
【図９Ｃ】
2007286257.tif 000013
【図９Ｄ】
2007286257.tif 000014
【図１０】
2007286257.tif 000015
【図１１】
2007286257.tif 000016
【図１２】
2007286257.tif 000017
【図１３】
2007286257.tif 000018